(57)【要約】  【課題】  １本の剃刀に、１枚刃の剃刀の機能と、複数刃の剃刀の機能の両方を備えて能率よく顔剃りができるようにする。  【解決手段】  断面形状が略楔型または偏平な形状をした刀身と、該刀身の刀背から刀身の幅方向にスライド自在に挟着された断面コ字形をしたアタッチメントと、該アタッチメントの両側または片側の側面に着脱自在に装着された複数刃からなる替え刃とを備える。前記アタッチメントの頂部に摘まみを突設する。前記刀身を支持する柄部分に振動発生装置を内蔵するとともに、前記振動発生装置は、偏心した錘をモータの出力軸に固着して構成し、前記モータの出力軸を前記刀身の長手方向と平行に配置する。【選択図】  図２
2006296614.tif 000002
【特許請求の範囲】
【請求項１】
断面形状が略楔型または偏平な形状をした刀身と、該刀身の刀背から刀身の幅方向にスライド自在に挟着された断面コ字形をしたアタッチメントと、該アタッチメントの両側または片側の側面に着脱自在に装着された複数刃からなる替え刃とを備えたことを特徴とする剃刀。
【請求項２】
請求項１に記載の剃刀において、
前記アタッチメントの頂部に摘まみを突設したことを特徴とする剃刀。
【請求項３】
請求項１または２に記載の剃刀において、
前記刀身の基端軸部と前記刀身を支持する柄部分との結合部を嵌合構造として、前記刀身の抜き差し交換を可能にしたことを特徴とする剃刀。
【請求項４】
請求項１乃至３のいずれかに記載の剃刀において、
前記刀身を支持する柄部分に振動発生装置が内蔵されていることを特徴とする剃刀。
【請求項５】
請求項１乃至４のいずれかに記載の剃刀において、
前記刀身を支持する柄部分の先端部と基端部を中間で２分割し、かつ連結軸により先端部と基端部を回動自在に連結し、前記基端部を刀身の刃先方向を含む平面内に折り曲げ可能にしたことを特徴とする剃刀。
【請求項６】
請求項１乃至５のいずれかに記載の剃刀において、
前記刀身は厚み方向に二分割した構造として、その間に替え刃を着脱自在に挟着することを特徴とする剃刀。
【発明の詳細な説明】
【技術分野】
【０００１】
本発明は、剃刀に関し、詳しくは、一枚刃の剃刀の刀身に、刀背側から複数刃の替え刃を装着したアタッチメントをスライド自在に挟着した剃刀に関する。
【背景技術】
【０００２】
理容室で使用される業務用の剃刀には、以前からの１枚刃の剃刀と、２枚刃または３枚刃の替え刃を着脱自在に取り付けた剃刀がある。１枚刃の剃刀は顔剃りの間、刃先が視認できるため、眉の輪郭や襟足等を剃るときに重宝である。また、複数刃を着脱自在に取り付けた剃刀は、早剃りができるため、顔剃りに要する時間を短縮できる利点がある。なお、３枚刃の替え刃を着脱自在に取り付けた剃刀として、特許文献１に記載の「安全カミソリホルダー」がある。
【特許文献１】特開２００４−２５５０８４号公報
【発明の開示】
【発明が解決しようとする課題】
【０００３】
このように、理容室では、顔剃りを短時間で確実に仕上げようとすると、１枚刃の剃刀と、複数刃の剃刀を使い分けることが必要となり、理容師は顔剃りの間に何度か剃刀を持ち帰る必要があり煩わしいのと、その間、顔剃り作業が中断してしまう問題があった。そこで、本発明は、１本の剃刀に、１枚刃の剃刀の機能と、複数刃の剃刀の機能の両方を備えて能率よく顔剃り作業ができる剃刀を提案することを目的とした。
【課題を解決するための手段】
【０００４】
上記課題を解決するために、本発明に係る剃刀は、断面形状が略楔型または偏平な形状をした刀身と、該刀身の刀背から刀身の幅方向にスライド自在に挟着された断面コ字形をしたアタッチメントと、該アタッチメントの両側または片側の側面に着脱自在に装着された複数刃からなる替え刃とを備えたことを特徴とする。なお、前記アタッチメントの頂部に摘まみを突設することが好ましい。また、前記刀身の基端軸部と前記刀身を支持する柄部分との結合部を嵌合構造として、前記刀身の抜き差し交換を可能にすることが可能である。さらに、前記刀身を支持する柄部分に振動発生装置を内蔵することも可能である。またさらに、前記刀身を支持する柄部分の先端部と基端部を中間で２分割し、かつ連結軸により先端部と基端部を回動自在に連結し、前記基端部を刀身の刃先方向を含む平面内に折り曲げ可能にすることも可能である。また、前記刀身は厚み方向に二分割した構造として、その間に替え刃を着脱自在に挟着することも可能である。
【発明の効果】
【０００５】
以上述べたように本発明によれば、刀身に挟着されたアタッチメントを後退させると、刀身先端の１枚刃により、輪郭部分を丁寧に顔剃りすることが可能となる。また、アタッチメントを前進させるとアタッチメント側面の複数刃により早剃りが可能となる。このように、本発明の剃刀では、１本の剃刀でありながら、アタッチメントを前進または後退させて切り換えることで、２本の剃刀を使い分けていることと同じになり、顔剃りの作業能率が向上する。また、振動発生装置を起動させると、振動による顔剃りの効果が加わり、作業能率が向上するとともに深剃りも可能となる。
【発明を実施するための最良の形態】
【０００６】
以下、図に基づいて本発明の実施形態を説明する。
図１および図２は本発明に係る剃刀の第１の実施形態を示し、図１はアタッチメントを前進させた状態の斜視図および左側面図である。図２は図１の状態からアタッチメントを後退させた状態の斜視図および左側面図である。これらの図に示されるように、剃刀の刀身１は断面が略楔型で中央から２枚に分割されて、前部分が別体のカバー３となり、その間に一枚刃２が挟着される。このカバー３を外すことで、一枚刃２の交換が可能となる。
【０００７】
この刀身１の背面とカバー３の前面には、刀背側から断面コ字形をしたアタッチメント４が挟着されている。アタッチメント４は、弾性を有するプラスチックにより形成され、または薄板金属を折曲して形成されて、下端寄り外側に二枚替え刃５、６が着脱自在に装着されている。アタッチメント４は、刀身１の幅方向にスライド自在に挟着されていて、図１では、アタッチメント４を図の下方へ前進させた状態であり、この状態では一枚刃２がアタッチメント４の陰に隠れているため、二枚替え刃５、６を用いて顔剃りをすることが可能である。
【０００８】
また、図２では、アタッチメント４を図の上方へ後退させた状態であり、この状態では一枚刃２がアタッチメント４の下端から露出しているため、一枚刃２を用いて顔剃りをすることが可能である。アタッチメント４の前進、後退は、アタッチメント４の上端頂部に突設されている摘まみ７を摘んでワンタッチでスライドすることが可能である。この剃刀を用いて、理容師が客の顔を剃るときは、顔面の平坦部を剃る場合は、アタッチメント４を前進させて、二枚替え刃５、６を用いて、効率良く顔剃りを進める。
【０００９】
ここで、眉の輪郭や襟足を剃る場合は、摘まみ７を摘んでアタッチメント４を上方へ後退させて、露出された一枚刃２を用いて、その刃先を目視しながら、正確に眉等の輪郭を剃ることができる。このように、本発明の剃刀を用いると、顔面の部位に応じて、一枚刃２と二枚替え刃５、６をワンタッチで切り換えながら顔剃りが可能となったことで、理容師の顔剃り作業が正確かつ迅速に行えるようになる。
【００１０】
なお、本発明の剃刀は、図１および図２に示されるように、刀身１の軸の基端を保持する柄８の内部にモータ９が設置され、モータ９の出力軸に偏心錘１０が嵌着されている。図示しないスイッチをオンすると、モータ９が回転して偏心錘１０により振動が発生する。振動は刀身１に伝達されて、顔剃り作業中の一枚刃２と二枚替え刃５、６の刃先を振動させて、顔剃り能率を向上させることができる。特に、このモータ９の出力軸は、一枚刃２と二枚替え刃５、６の刃先と平行に位置しているため、発生した振動は、一枚刃２と二枚替え刃５、６の刃先の線分と直交する平面内を回転する振動となり、顔剃りを増進するように作用しながらも、顔面の皮膚に対しては柔らかい当たりとなり、顔剃りの快感を増進する効果が期待できる。
【００１１】
なお、刀身１の軸の基端部と柄８の結合部分は、嵌合構造として、前記刀身１の抜き差し交換を可能にした。それにより、刀身１または柄８は外して別のものに交換することが可能である。また、この柄８には、刀身１以外に、Ｔ字型の安全剃刀を装着して、振動させながら顔剃りすることも可能である。
【００１２】
図３は本発明に係る剃刀の第２の実施形態を示し、アタッチメントを後退させた状態の斜視図である。この実施形態の刀身１、アタッチメント４およびモータ９の部分の構成は、図２に示されている第１の実施形態と同じであるので、同一部分については、同一符号を付して説明を省略する。この第２の実施形態の特徴は、刀身１を保持する柄を折り畳み構造にしたものである。すなわち、柄の先端部１１と柄の基端部１２を、中間で２分割し、かつ連結軸１３により先端部１１と基端部１２を回動自在に連結したものである。これは理容師が剃刀を使用する場合に、柄の基端部１２の開閉角度を調節して、剃刀のバランスを整え、刃先の角度を最適角度に保持するためのものであり、理容師の剃刀としては不可欠の構造である。
【００１３】
なお、図示例では、アタッチメント４の両面に二枚替え刃５、６を装着しているが、これは片面のみに二枚替え刃を装着する構成としても良い。また、三枚刃の替え刃を使用することもできる。また、図示例は刀身１の断面形状が二等辺三角形の楔型であるが、楔形の上部を平行にした薄型の五角形であっても、偏平形状であればアタッチメントを取り付けることが可能である。また、図示例では、刀身１とカバー３の間に一枚刃２が挟着される構造であるが、刀身１とカバー３を一体化して刀身１の先端に刃先を研ぎ出した旧来からの剃刀の場合にも、アタッチメント４を挟着することができる。
【産業上の利用可能性】
【００１４】
本発明は、刀身に１枚刃の替え刃を取り付ける剃刀以外に、刀身の先端に刃先を研ぎ出した剃刀にも利用可能である。
【図面の簡単な説明】
【００１５】
【図１】本発明に係る剃刀の第１の実施形態のアタッチメントを前進させた状態を示す斜視図および左側面図である。
【図２】本発明に係る剃刀の第１の実施形態のアタッチメントを後退させた状態を示す斜視図および左側面図である。
【図３】本発明に係る剃刀の第２の実施形態のアタッチメントを後退させた状態を示す斜視図である。
【符号の説明】
【００１６】
１  刀身
２  一枚刃
３  カバー
４  アタッチメント
５、６  二枚替え刃
７  摘まみ
８  柄
９  モータ
１０  偏心錘
１１  柄の先端部
１２  柄の基端部
１３  連結軸
【図１】
2006296614.tif 000003
【図２】
2006296614.tif 000004
【図３】
2006296614.tif 000005